(57)【要約】【課題】携帯電話などに接続してＢｌｕｅｔｏｏｔｈ通信を行える外付け装置を提供する。【解決手段】Ｂｌｕｅｔｏｏｔｈ音声通信装置１は、ラインインタフェース２、ＣＯＤＥＣ３、マイクロコンピュータ４と送受信部５を内蔵し、オーディオプラグ付ケーブル６を備えている。オーディオプラグ７を携帯電話２１やオーディオプレーヤのオーディオジャックへ接続すると、送受信範囲内にあるＢｌｕｅｔｏｏｔｈヘッドセットとネットワークが確立されて通信可能となり、Ｂｌｕｅｔｏｏｔｈヘッドセットを用いたハンズフリー通話や音楽鑑賞ができる。【選択図】　図１
2004120126.tif 000002
【特許請求の範囲】
【請求項１】
ラインインタフェースとＣＯＤＥＣとマイクロコンピュータと送受信部、及び携帯電話やオーディオプレーヤのオーディオジャックへ接続できるケーブルを備え、ケーブルを通じて入力されるアナログ音声信号をＢｌｕｅｔｏｏｔｈオーディオデータに変換して送受信部から送信し、送受信部が受信したＢｌｕｅｔｏｏｔｈオーディオデータをアナログ音声信号に変換してケーブル側へ出力するように構成したＢｌｕｅｔｏｏｔｈ音声通信装置。
【請求項２】
上記ケーブルは、オーディオ信号線と着信信号線と受話／切断信号線を備え、ケーブル接続した携帯電話からの着信信号に応じて着信データを送受信部から送信し、送受信部が受信した受話／切断データに応じて受話／切断信号を前記携帯電話へ出力する制御手段を設けた請求項１記載のＢｌｕｅｔｏｏｔｈ音声通信装置。
【請求項３】
双方向音声通信モードとデータ書込みモードとの切換え手段と、携帯電話からケーブルを通じて入力されるダイヤルトーンに応じてコードデータを生成し、生成したコードデータをメモリに格納する制御手段を設け、ダイヤルトーンによりＢｌｕｅｔｏｏｔｈの各種設定や電話番号登録などの操作を行えるようにした請求項１記載のＢｌｕｅｔｏｏｔｈ音声通信装置。
【発明の詳細な説明】
【０００１】
【発明の属する技術分野】
この発明は、Ｂｌｕｅｔｏｏｔｈ音声通信装置に関するものであり、特に携帯電話やポータブルオーディオプレーヤ等に接続して他のＢｌｕｅｔｏｏｔｈヘッドセット等と無線通信を行えるようにしたＢｌｕｅｔｏｏｔｈ音声通信装置に関するものである。
【０００２】
【従来の技術及び発明が解決しようとする課題】
Ｂｌｕｅｔｏｏｔｈは、コンピュータやコンピュータ周辺機器のみならず携帯電話や家電機器等種々のデバイスのデータ交換が可能な無線通信インターフェースとして知られている。Ｂｌｕｅｔｏｏｔｈは広範な使用形態が想定されているが、その一つに携帯電話とヘッドセットや自動車用ハンズフリーキットとによる無線音声通信がある。しかし、Ｂｌｕｅｔｏｏｔｈモジュールを搭載していない携帯電話やオーディオプレーヤではＢｌｕｅｔｏｏｔｈ通信を行うことができず、Ｂｌｕｅｔｏｏｔｈ搭載携帯電話やＢｌｕｅｔｏｏｔｈ搭載オーディオプレーヤを新規に購入する必要があり、二重の出費を強いられることになる。
【０００３】
そこで、Ｂｌｕｅｔｏｏｔｈ非対応の携帯電話やオーディオプレーヤでＢｌｕｅｔｏｏｔｈ通信を可能にするために解決すべき技術的課題が生じてくるのであり、本発明は上記課題を解決することを目的とする。
【０００４】
【課題を解決するための手段】
この発明は、上記目的を達成するために提案するものであり、ラインインタフェースとＣＯＤＥＣとマイクロコンピュータと送受信部、及び携帯電話やオーディオプレーヤのオーディオジャックへ接続できるケーブルを備え、ケーブルを通じて入力されるアナログ音声信号をＢｌｕｅｔｏｏｔｈオーディオデータに変換して送受信部から送信し、送受信部が受信したＢｌｕｅｔｏｏｔｈオーディオデータをアナログ音声信号に変換してケーブル側へ出力するように構成したＢｌｕｅｔｏｏｔｈ音声通信装置を提供するものである。
【０００５】
また、上記ケーブルは、オーディオ信号線と着信信号線と受話／切断信号線を備え、ケーブル接続した携帯電話からの着信信号に応じて着信データを送受信部から送信し、送受信部が受信した受話／切断データに応じて受話／切断信号を前記携帯電話へ出力する制御手段を設けたＢｌｕｅｔｏｏｔｈ音声通信装置を提供するものである。
【０００６】
また、双方向音声通信モードとデータ書込みモードとの切換え手段と、携帯電話からケーブルを通じて入力されるダイヤルトーンに応じてコードデータを生成し、生成したコードデータをメモリに格納する制御手段を設け、ダイヤルトーンによりＢｌｕｅｔｏｏｔｈの各種設定や電話番号登録などの操作を行えるようにしたＢｌｕｅｔｏｏｔｈ音声通信装置を提供するものである。
【０００７】
【発明の実施の形態】
以下、この発明の実施の一形態を図に従って詳述する。図１はＢｌｕｅｔｏｏｔｈ音声通信装置１を示し、Ａ／Ｄコンバータ、Ｄ／Ａコンバータ、フィルタ、ゲインコントローラなどを備えたラインインタフェース２、ＣＶＳＤ　（Ｃｏｎｔｉｎｕｏｕｓ　Ｖａｒｉａｂｌｅ　Ｓｌｏｐｅ　Ｄｅｌｔａ　Ｍｏｄｕｌａｔｉｏｎ）　フォーマットまたはｌｏｇ　ＰＣＭフォーマットの　ＣＯＤＥＣ　３、マイクロコンピュータ４、送受信部５を備えており、６はオーディオケーブル、７はオーディオプラグである。
【０００８】
携帯電話２１からオーディオケーブル６を通じてＢｌｕｅｔｏｏｔｈ音声通信装置１へ入力された音声信号は、ラインインタフェース２、ＣＯＤＥＣ　３によりデジタル変換されてＢｌｕｅｔｏｏｔｈオーディオパケット（ＨＶパケット）としてアンテナ８から送信され、アンテナ８へ入力されるＨＶパケットは、ＣＯＤＥＣ　３、　ラインインタフェース２によりアナログ変換されて携帯電話２１へ出力される。
【０００９】
図２のように携帯電話２１のオーディオジャックにＢｌｕｅｔｏｏｔｈ音声通信装置１のオーディオプラグ７を接続すれば、Ｂｌｕｅｔｏｏｔｈ音声通信装置１を介して携帯電話２１とＢｌｕｅｔｏｏｔｈヘッドセット２２或いはＢｌｕｅｔｏｏｔｈハンズフリー通話セットとによってＢｌｕｅｔｏｏｔｈ通信を行うことができる。また、携帯オーディオプレーヤのオーディオジャックにＢｌｕｅｔｏｏｔｈ音声通信装置１のオーディオプラグ７を接続すれば、携帯オーディオプレーヤが出力するオーディオソースをＢｌｕｅｔｏｏｔｈヘッドセット２２で聴取することができる。
【００１０】
図３は他の実施形態を示し、Ｂｌｕｅｔｏｏｔｈ音声通信装置１に前記の機能に加えて着信検知部９と受話／切断信号出力部１０とを設け、着信信号線１１と受話／切断信号線１２とオーディオ信号線１３とからなる４芯ケーブル及び４極プラグ１４を通じて携帯電話２１の受話／切断操作を行えるようにしている。携帯電話２１にＢｌｕｅｔｏｏｔｈ音声通信装置１を接続し、Ｂｌｕｅｔｏｏｔｈ音声通信装置１とＢｌｕｅｔｏｏｔｈヘッドセット２２とのリンクが確立された状態で携帯電話２１が着信信号を受信すると、着信信号線１１を通じて着信信号がＢｌｕｅｔｏｏｔｈ音声通信装置１の着信検知部９に入力され、Ｂｌｕｅｔｏｏｔｈヘッドセット２２へ着信を知らせるデータが送信される。
【００１１】
Ｂｌｕｅｔｏｏｔｈヘッドセット２２においては着信データを受信するとリングトーンが鳴るように設定しておき、リングトーン出力時にヘッドセット装着者がＢｌｕｅｔｏｏｔｈヘッドセット２２に装備されているボタン（図示せず）を押すとＢｌｕｅｔｏｏｔｈヘッドセット２２が受話指令データを送信し、受話指令データを受信したＢｌｕｅｔｏｏｔｈ音声通信装置１は携帯電話２１へ受話信号を送信して電話が接続される。これにより、Ｂｌｕｅｔｏｏｔｈヘッドセット２２と電話先との通話が可能になる。通話を終了する際は、Ｂｌｕｅｔｏｏｔｈヘッドセット２２のボタンを押すと、Ｂｌｕｅｔｏｏｔｈヘッドセット２２から切断指令データが送信され、切断指令データを受信したＢｌｕｅｔｏｏｔｈ音声通信装置１が携帯電話２１へ切断信号を送信して電話が切断される。
【００１２】
また、図４に示すようにＢｌｕｅｔｏｏｔｈ音声通信装置１にダイヤルトーン検知部１５を設け、図３に示したオーディオ信号線１３または着信信号線１１を通じて受信したダイヤルトーンをコードに変換する機能をマイクロコンピュータ４に設ければ、携帯電話２１からＢｌｕｅｔｏｏｔｈ設定操作や電話番号登録操作を行うことができる。例えば、Ｂｌｕｅｔｏｏｔｈ通信の認証のためのＰＩＮコードを設定する際は、Ｂｌｕｅｔｏｏｔｈ通信装置１をＰＩＮコード入力モードにし、携帯電話２１のテンキーを押してダイヤルトーンをＢｌｕｅｔｏｏｔｈ通信装置１へ送れば、数桁のダイヤルトーンがＰＩＮコードに変換されてＲＯＭ　１６に書込まれる。また、電話番号登録モードとして携帯電話２１のテンキーから電話番号を入力すれば、その電話番号がＲＯＭ　１６に書込まれ、Ｂｌｕｅｔｏｏｔｈヘッドセット２２から要求があったときにこの電話番号情報を読み出して自動的に電話をかけることも可能である。
【００１３】
尚、この発明は上記の実施形態に限定するものではなく、この発明の技術的範囲内において種々の改変が可能であり、この発明がそれらの改変されたものに及ぶことは当然である。
【００１４】
【発明の効果】
以上説明したように、本発明のＢｌｕｅｔｏｏｔｈ音声通信装置は、携帯電話などのオーディオジャックに接続するだけで、きわめて簡便に双方向無線ネットワークを実現でき、Ｂｌｕｅｔｏｏｔｈの普及に寄与する発明である。また、オーディオ信号に加えて着信信号と受話／切断信号の送受信を行えるように構成することにより、Ｂｌｕｅｔｏｏｔｈ非対応の携帯電話の受話／切断を無線操作できて操作性が良好である。また、携帯電話のダイヤルトーンでＢｌｕｅｔｏｏｔｈの各種設定や電話番号登録などの操作を行えるようにすることにより、使い勝手がさらに向上する。
【図面の簡単な説明】
【図１】本発明の実施の一形態を示し、Ｂｌｕｅｔｏｏｔｈ音声通信装置のブロック図。
【図２】Ｂｌｕｅｔｏｏｔｈ音声通信装置を用いたネットワーク構成図。
【図３】他の実施形態を示し、着信、受話／切断制御系統の構成図。
【図４】他の実施形態を示し、携帯電話によるコード書込み系統の構成図。
【符号の説明】
１　　　　Ｂｌｕｅｔｏｏｔｈ音声通信装置
２　　　　ラインインタフェース
３　　　　ＣＯＤＥＣ
４　　　　マイクロコンピュータ
５　　　　送受信部
６　　　　オーディオケーブル
７　　　　オーディオプラグ
９　　　　着信検知部
１０　　　　受話／切断検知部
１１　　　　着信信号線
１２　　　　受話／切断信号線
１３　　　　オーディオ信号線
１４　　　　４極プラグ
１５　　　　ダイヤルトーン検知部
２１　　　　携帯電話
２２　　　　Ｂｌｕｅｔｏｏｔｈヘッドセット
【図１】
2004120126.tif 000003
【図２】
2004120126.tif 000004
【図３】
2004120126.tif 000005
【図４】
2004120126.tif 000006